(57)【要約】【課題】  従来と同様の使用方法で用いられて体温を検温するとともに、検温した体温データの有効活用が図られるようにする。【解決手段】  体温を検温する検温部３と、この検温部３から出力された体温値データに所定の処理を施すとともに各部に対して制御信号を出力する制御部１１と、液晶表示器６と、ＵＳＢモジュール１５及びＵＳＢ規格仕様のシリーズＡプラグ１６とを備える。検温部３で検温した体温値データに基づく制御部１１からの出力によって液晶表示器６で検温値の表示を行うとともに、シリーズＡプラグ１６を介して体温値データをパーソナルコンピュータ２０に送信する。【選択図】  図３
2006234452.tif 000002
【特許請求の範囲】
【請求項１】
体温を検温する検温部と、この検温部から出力された体温値データに所定の処理を施すとともに各部に対して制御信号を出力する制御部と、液晶表示器と、ユニバーサル・シリアル・バス・インターフェース・モジュール及びユニバーサル・シリアル・バス規格仕様のシリーズＡプラグとを備え、
前記検温部で検温した前記体温値データに基づく前記制御部からの出力によって前記液晶表示器で検温値の表示を行うとともに、前記ユニバーサル・シリアル・バス規格仕様のシリーズＡプラグを介して前記体温値データを外部管理装置に送信する機能を有することを特徴とする電子体温計。
【請求項２】
ケース体に着脱され、前記ユニバーサル・シリアル・バス規格仕様のシリーズＡプラグを覆うキャップを有することを特徴とする請求項１に記載の電子体温計。
【請求項３】
前記体温値データを記憶する内部メモリを備えることを特徴とする請求項１又は請求項２に記載の電子体温計。
【発明の詳細な説明】
【技術分野】
【０００１】
本発明は、検温した体温値データをパーソナルコンピュータ等の外部管理装置に伝送する機能を備えた電子体温計に関する。
【背景技術】
【０００２】
体温計は、手軽に何処へでも持ち運びして身体の異常発生や状態変化を把握するための重要な基礎指標である体温を簡易な操作により検温することが可能な治具である。体温計としては、従来水銀体温計が用いられていたが、最近では電子体温計が用いられるようになっている。電子体温計は、一般に先端部位のプローブに温度センサを内蔵し、この温度センサで感知した患者等の体温を液晶表示器によってデジタル表示する。電子体温計は、水銀体温計と同様に、比較的体温が安定している箇所である脇の下や口肛内等にプローブをあてがって患者の体温を検温する。電子体温計は、取り扱いが簡便であること、短時間での検温が可能であること、大型で見易い表示が可能であること等の特徴を有している。（例えば特許文献１参照）
【０００３】
なお、電子体温計については、脳の体温調節をつかさどる視床下部に近い耳孔内の温度を検温する耳式体温計も提供されている。耳式体温計は、耳内の鼓膜から放射される赤外線をプローブ内に設けたセンサでとらえて検温することから、約１秒程度で検温操作が可能である。
【０００４】
【特許文献１】特開２００４−２６４２９７
【発明の開示】
【発明が解決しようとする課題】
【０００５】
ところで、健康管理志向の高まりにより、その基礎資料として大いに役立つ体温等の継続的管理もパーソナルユースのレベルにおいて実行されている。体温管理は、例えば個人差、検温箇所、検温時間或いは検温方法等によってバラツキがあるために、同一条件によって継続的に検温を行い、平均値データを把握することが必須となる。
【０００６】
電子体温計は、体温検温用の治具として水銀体温計とともに用いられているが、従来では体温を一時的に検温するためだけの治具であり、液晶表示器に表示された検温に基づく検温値によって体温を確認した後にリセット操作が行われていた。したがって、電子体温計は、体温の継続管理が行われる場合に、液晶表示器に表示された数字が読み取られて集計表等に書き込むための治具として用いられていた。
【０００７】
なお、病院等においては、各ベット毎に検温センサを設け、この検温センサにより検温した患者の検温データを有線等によってナースセンタに設置した管理コンピュータに送信するシステムも構築されている。しかしながら、かかる検温システムは、大規模な投資を必要とするとともに特定の患者のみを対象とするものであり、パーソナルユース用として手軽に持ち運びされる体温計が検温センサとして用いられるものでは無い。また、かかる検温システムは、検温データを管理コンピュータに送信する片方向送信システムであり、管理コンピュータ側からの情報を得る双方向送受信システムとして構築されていない。
【０００８】
したがって、本発明は、従来と同様の使用方法で用いられて体温を検温するとともに、検温した体温データの有効活用が図られるようにする電子体温計を提供することを目的とする。
【課題を解決するための手段】
【０００９】
上述した目的を達成する本発明にかかる電子体温計は、体温を検温する検温部と、この検温部から出力された体温値データに所定の処理を施すとともに各部に対して制御信号を
出力する制御部と、液晶表示器と、ユニバーサル・シリアル・バス・インターフェース・モジュール及びユニバーサル・シリアル・バス規格仕様のシリーズＡプラグとを備える。電子体温計は、検温部で検温した体温値データに基づく制御部からの出力によって液晶表示器で検温値の表示を行うとともに、ユニバーサル・シリアル・バス規格仕様のシリーズＡプラグを介して体温値データを外部管理装置に送信する。
【００１０】
また、電子体温計は、ケース体に着脱されるキャップを備え、このキャップによって未使用時にユニバーサル・シリアル・バス規格仕様のシリーズＡプラグが覆われるように構成される。さらに、電子体温計は、体温値データを記憶する内部メモリが備えられ、ユニバーサル・シリアル・バス規格仕様のシリーズＡプラグを介して接続された外部管理装置からの指示に基づいて記憶した体温値データを読み出して送信する。したがって、電子体温計においては、１回限りで体温を検温するばかりでなく、内部メモリに記憶した体温値データを利用することが可能とされることによって簡易な装置により有効な健康管理が実践されるようにする。電子体温計においては、従来の単なる体温検温治具としての位置付けにとどまらず、外部管理装置との間において体温値データに基づく有効な健康管理や医療指導等を実践することも可能となる。
【発明の効果】
【００１１】
以上のように構成された本発明にかかる電子体温計によれば、従来と同様の使用態様で用いられて体温を検温して液晶表示器に検温結果を表示する小型で廉価な装置であり、使用勝手を低下させずに手軽に用いられる。電子体温計によれば、検温した体温値データをユニバーサル・シリアル・バス規格に基づいて外部管理装置に送信する機能を有することから、単に体温を検温するにとどまらず体温値データが有効に活用されて健康管理や医療指導等を実践する情報端末装置としても機能することで多機能化、高機能化が図られる。
【発明を実施するための最良の形態】
【００１２】
以下、本発明の実施の形態について図面を参照して詳細に説明する。実施の形態として示した電子体温計１は、図１及び図２に示すようにやや扁平で細長い箱状を呈し一端側を細長く突出させて検温部３を構成したケース体２を有している。電子体温計１は、従来の電子体温計や水銀体温計と同様の外形を呈しており、検温部３を人体の脇の下や口肛内等にあてがう同等の使用方法により体温を検温する。
【００１３】
電子体温計１は、詳細を後述するように外部管理装置として用いられるパーソナルコンピュータ２０とユニバーサル・シリアル・バス（Universal Serial Bus。以下、ＵＳＢと称する。）規格に基づいて接続することが可能であり、検温した体温値データ等をパーソナルコンピュータ２０に直接提供する。電子体温計１は、各個人が日頃の健康管理の指標値となる体温値データについて、簡易な操作により継続的に管理することを可能とする。電子体温計１は、病院等において、例えば診察前に待合室で行う検温結果を診察室内で事前に把握することを可能とし、また看護師の検温巡回において多数人の患者の体温について記録作業を不要とさせる等の機能を奏する。
【００１４】
電子体温計１は、検温部３が従来の電子体温計と同等であることから詳細な説明を省略するが、熱伝導率が大きな金属によって略キャップ状に形成されケース体２の先端に露出されて組み付けられたプローブ４と、このプローブ４と接続された温度センサ５とから構成される。電子体温計１には、ケース体２の一方主面に液晶表示器６が設けられている。電子体温計１には、ケース体２の主面に検温ボタン７と機能切換部を構成する機能切換ボタン８とが設けられている。電子体温計１には、ケース体２の検温部３と対向する他方側の端部にキャップ９が着脱自在に組み合わされる。
【００１５】
電子体温計１には、ケース体２内に形成した図示しないスタッド等に固定されて配線基
板１０が組み付けられるとともに、この配線基板１０上に後述する各機能の動作を制御するＣＰＵ（Central Processing Unit）１１が搭載される。また、電子体温計１には、図１及び図３に示すように配線基板１０に、液晶表示器６とともに、液晶ドライバ１２や内部メモリ１３或いはクロックＩＣ（Integrated Circuit）１４やＵＳＢモジュール１５及びＵＳＢ規格仕様のシリーズＡプラグ１６が搭載される。電子体温計１は、配線基板１０をケース体２に組み付けた状態で、詳細を省略するが液晶表示器６が表示部をケース体２に設けた開口部から外方に臨ませられる。
【００１６】
電子体温計１には、例えば液晶表示器６の配置面と対向するケース体２の他方主面に図示しない蓋体が組み合わされており、この蓋体を開閉することによってボタン型の電池１７が着脱されるようにする。電子体温計１は、ＣＰＵ１１に制御されて、電池１７から各部に対して必要な電源が供給されるようにする。電子体温計１は、ＵＳＢモジュール１５とシリーズＡプラグ１６とを搭載することでパーソナルコンピュータ２０側から電源の供給を受けることが可能である。電子体温計１においては、外形や重量がさほど大きくならない範囲で、電池１７をパーソナルコンピュータ２０側から供給される電源によって充電可能な二次電池を用いるようにしてもよい。
【００１７】
電子体温計１は、液晶ドライバ１２がＣＰＵ１１によって動作制御され、液晶表示器６に所定の表示が行われるようにする。電子体温計１は、液晶表示器６が検温数値をデジタル表示するとともに、機能切換ボタン８によって設定した各機能の設定状態を表示する。電子体温計１は、内部メモリ１３が、検温操作を行った場合にＣＰＵ１１の指示に基づいて検温した体温データを記憶する。電子体温計１は、内部メモリ１３に例えばＲＡＭ（Random Access Memory）が用いられ、体温データの書き込み及び読み出しを可能とする。なお、電子体温計１は、内部メモリ１３が、一定期間の体温データを記憶するが、後述するようにパーソナルコンピュータ２０への送信を行うと自動消去されるようにすることで低容量化による小型化、低コスト化が図られている。
【００１８】
電子体温計１は、クロックＩＣ１４が例えば検温時に検温時間を計時して所定時間経過後にアラームを発信するタイマ機能や、検温を行った日時データをＣＰＵ１１に供給するカレンダ機能を有している。電子体温計１は、内部メモリ１３に体温データを記憶する際に日時データも記憶されるようにする。
【００１９】
電子体温計１は、ＵＳＢモジュール１５を搭載することによって、ＵＳＢ規格方式に基づいてパーソナルコンピュータ２０と体温データ等の授受を行うことが可能とされる。ＵＳＢ規格方式は、周知のようにパーソナルコンピュータとディスプレイ、キーボード、マウス或いはプリンタ等の周辺機器を最大１２７台まで接続可能とするとともに、最大１２Ｍｂｐｓの転送速度によりデータ等の相互授受を行うことを可能とする規格である。ＵＳＢ規格方式においては、パーソナルコンピュータをホスト機器として２本の信号線と電源及びグランドの４本構成のケーブルが用いられ、上位側をシリーズＢ、下位側をシリーズＡとした所定のコネクタ構造によってデータ等の授受と電源供給とを行う。
【００２０】
電子体温計１は、チップ化されて一般に提供されているＵＳＢモジュール１５を配線基板１０に搭載するとともに、この配線基板１０の端部に位置させてシリーズＡプラグ１６を搭載する。電子体温計１は、その使用態様から大型で重量が大きくなると子供や幼児への使用に支障をきたし使い勝手が悪くなってしまうが、チップ化された小型のＵＳＢモジュール１５やシリーズＡプラグ１６を搭載してもかかる不都合が生じることも無い。電子体温計１においては、シリーズＡプラグ１６が、配線基板１０をケース体２に組み付けた状態で、図２に示すように先端部位が検温部３と対向するケース体２の端部から突出される。
【００２１】
電子体温計１は、図１に示すようにシリーズＡプラグ１６を被冠するようにしてケース体２に対してキャップ９が装着される。キャップ９は、例えばケース体２と同一の合成樹脂によって成形され、先端部の内周面に形成した係合凸部をケース体２の受け部の外周面に形成した係合凹部に相対係合させて一体化するいわゆるスナップ結合構造によってケース体２に着脱される。キャップ９は、体温データ等をパーソナルコンピュータ２０に送信操作する際にケース体２から取り外されることによって図２に示すようにシリーズＡプラグ１６をケース体２の端部に露出させる。なお、キャップ９については、例えば薄肉連結部を介してケース体２と一体に形成することで紛失の防止が図られるようにしてもよい。
【００２２】
電子体温計１においては、検温ボタン７によって、電源のオンオフ切換と、検温動作をスタンバイ状態とするリセット動作とが行われるようにする。電子体温計１においては、電源オン状態で機能切換ボタン８を押し込み操作することによってＣＰＵ１１に対して所定の信号入力が行われ、各種の機能切換が行われる。電子体温計１は、機能切換ボタン８の押し込み操作によって、例えば時計表示機能、検温値データの送信機能或いは外部コンピュータ２０からのデータ受信機能等の切換が行われる。なお、電子体温計１は、検温ボタン７と機能切換ボタン８とを一体化し、押し込み操作を行う毎に定められた順序で機能の切換が行われるようにしてもよい。電子体温計１は、例えばカレンダ修正操作を検温ボタン７と機能切換ボタン８とを組み合わせて行うようにしてもよい。
【００２３】
電子体温計１は、シリーズＡプラグ１６を介してパーソナルコンピュータ２０と接続されて体温データ等の授受が行われるようにする。パーソナルコンピュータ２０は、病院内に設置された管理用コンピュータや個人が所有するパーソナルコンピュータであり、詳細を省略するが電子体温計１のシリーズＡプラグ１６が差し込まれるシリーズＢコネクタを有している。
【００２４】
パーソナルコンピュータ２０は、例えば体温値検診プログラムソフトを保有しており、電子体温計１から送信された体温値データを蓄積して平均値を算出し、この平均値と新たに送信された体温値データとを比較して異常値の判定を行い、その判定結果を画面上に表示する。パーソナルコンピュータ２０は、体温値検診プログラムソフトによって、送信された体温値データから異常値の検出を行った場合に、電子体温計１に対してアラームを送信するようにしてもよい。また、パーソナルコンピュータ２０は、蓄積した体温値データに基づいて変化グラフを作図して出力することによって健康管理が行われるようにする。
【００２５】
電子体温計１は、未使用状態では各部への電源供給が行われておらず液晶表示器６にも何も表示されていない。電子体温計１は、検温ボタン７を押し込み操作すると、電源オン状態となって各部に対して電源が供給されるようにし、時計表示機能によって液晶表示器６に現在の日時が表示されるようにする。電子体温計１は、さらに検温ボタン７を押し込み操作することによって検温のスタンバイ状態となって液晶表示器６の表示が「０°」に切り替わるとともに、クロックＩＣ１４のタイマ機能が開始される。なお、電子体温計１は、時計表示機能を動作させないようにしてもよいことは勿論である。
【００２６】
電子体温計１は、検温部３が検温箇所にあてがわれ、体温がプローブ４に伝導されて温度センサ５による検温動作が行われる。電子体温計１においては、検温部３の温度センサ５からＣＰＵ１１に対して体温値データが送られる。電子体温計１においては、この体温値データに基づいてＣＰＵ１１から液晶ドライバ１２に駆動信号が出力される。電子体温計１においては、液晶ドライバ１２によって液晶表示器６が駆動され、この液晶表示器６に検温した体温値の表示が行われる。
【００２７】
電子体温計１においては、クロックＩＣ１４が所定時間を計時して検温終了のアラーム信号を出力することで、ＣＰＵ１１から液晶ドライバ１２に制御信号が出力されて液晶表
示器６に現に表示されている体温値表示が保持されるようにする。電子体温計１は、液晶表示器６の体温値が読み取られて検温ボタン７が押し込み操作されると、ＣＰＵ１１からの制御信号に基づいて液晶表示器６が体温値の表示から「０°」に切り替わるリセット動作が行われる。
【００２８】
電子体温計１においては、検温終了に伴って検温ボタン７が押し込み操作されると、ＣＰＵ１１から出力される制御信号に基づいて検温値データとクロックＩＣ１４から供給される日時データとを内部メモリ１３に記憶する体温値データの記憶動作が行われる。
【００２９】
電子体温計１においては、シリーズＡプラグ１６を介してパーソナルコンピュータ２０と接続し、内部メモリ１３に記憶した体温値データの読み込みが行われるようにする。電子体温計１は、図４に示すようにケース体２からキャップ９を取り外してシリーズＡプラグ１６を露出させ、このシリーズＡプラグ１６をパーソナルコンピュータ２０側のシリーズＢコネクタに差し込むことによって内部メモリ１３に記憶した体温値データが体温値検診プログラムソフトに読み込まれるようにする。
【００３０】
電子体温計１は、電源オン状態で、例えば機能切換ボタン８を押し込み操作して「読み出し」機能に設定し、検温ボタン７を利用した実行指示を行うことによってパーソナルコンピュータ２０による体温値データの読み込みが行われるようにする。なお、病院等で多数の患者から回収した各電子体温計１から体温値データの読込み操作を行う場合には、各電子体温計１に対応したコードを入力した後に、読込みの実行操作を行うようにすればよい。
【００３１】
電子体温計１においては、搭載したシリーズＡプラグ１６をシリーズＢコネクタに差し込む簡易な操作によって、パーソナルコンピュータ２０への体温値データの入力を可能とする。したがって、電子体温計１においては、液晶表示器６に表示された体温値をメモした後にパーソナルコンピュータ２０に入力するといった操作を不要とし、入力ミスや入力忘れを無くして正確な体温値を継続的に管理することを可能として有効な健康管理が行われるようにする。電子体温計１においては、パーソナルコンピュータ２０を介してさらにホストの管理コンピュータに体温値データが送信されるシステムの構築も可能である。
【００３２】
また、電子体温計１においては、機能切換ボタン８を押し込み操作して例えば「読み出し」機能に設定して検温ボタン７を利用した選択操作を行うことにより、内部メモリ１３に記憶された体温値を読み出して液晶表示器６によって確認することも可能である。電子体温計１においては、この読み出し機能により、検温した体温値を忘れてしまった場合でも再検温の操作を不要とする。また、電子体温計１においては、必要に応じて記憶された体温値データの利用が可能となり、より有効な健康管理が実践されるようにする。
【００３３】
電子体温計１は、上述した手順が一例を示すものであってかかる手順に限定されないことは勿論である。電子体温計１は、ＵＳＢモジュール１５とシリーズＡプラグ１６と内部メモリ１３とを内蔵することによって、パーソナルコンピュータ２０等と直接接続され、新規な検診システムを構築することが可能である。
【図面の簡単な説明】
【００３４】
【図１】実施の形態として示す電子体温計の斜視図である。
【図２】キャップを取り外した電子体温計の斜視図である。
【図３】電子体温計の構成図である。
【図４】電子体温計の使用状態の説明図である。
【符号の説明】
【００３５】
１        電子体温計
２        ケース体
３        検温部
４        プローブ
５        温度センサ
６        液晶表示器
７        検温ボタン
８        機能切換ボタン
９        キャップ
１０      配線基板
１１      ＣＰＵ１１
１２      液晶ドライバ
１３      内部メモリ
１４      クロックＩＣ
１５      ＵＳＢモジュール
１６      シリーズＡプラグ
１７      電池
２０      パーソナルコンピュータ
【図１】
2006234452.tif 000003
【図２】
2006234452.tif 000004
【図３】
2006234452.tif 000005
【図４】
2006234452.tif 000006